(57)【要約】【課題】  外装ケースの外側で連続紙の排紙側部分と給紙側部分とが上下に重なることを防止し、紙ジャムの発生を抑えること。【解決手段】  外装ケースの給紙口１１２に入る前の連続紙の部分１００Ｂと、外装ケースの排紙口１１３から出た後の連続紙の部分１００Ａ２とが、外装ケースの外側で上下に重なる記録装置において、外装ケースの給紙口１１２に防音用のカバー部材１７を設け、このカバー部材１７を開いた状態で、外装ケースの外側で上下に重なる連続紙の各部分１００Ａ２、１００Ｂの間に、当該カバー部材１７を延在可能とした。【選択図】      図５
2006231655.tif 000002
【特許請求の範囲】
【請求項１】
外装ケースの給紙口に入る前の連続紙の部分と、外装ケースの排紙口から出た後の連続紙の部分とが、外装ケースの外側で上下に重なる記録装置において、
前記外装ケースの給紙口に防音用のカバー部材を設け、このカバー部材を開いた状態で、外装ケースの外側で上下に重なる連続紙の各部分の間に、当該カバー部材を延在可能としたことを特徴とする記録装置。
【請求項２】
前記給紙口及び前記排紙口が、外装ケースの同一側面に形成されていることを特徴とする請求項１に記載の記録装置。
【請求項３】
前記外装ケースの同一側面上において、給紙口が排紙口の下方に形成されていることを特徴とする請求項２に記載の記録装置。
【請求項４】
前記カバー部材は、トラクタに連続紙をセットする際に全開位置まで開かれ、その半開位置において、前記連続紙の各部分の間に延在することを特徴とする請求項１乃至３のいずれかに記載の記録装置。
【請求項５】
前記カバー部材は、その裏面に吸音材を備えることを特徴とする請求項１乃至４のいずれかに記載の記録装置。
【発明の詳細な説明】
【技術分野】
【０００１】
本発明は、外装ケースの外側で連続紙が上下に重なる記録装置に関する。
【背景技術】
【０００２】
従来、外装ケースの給紙口に入る前の連続紙の部分（以下、給紙側部分という）と、外装ケースの排紙口から出た後の連続紙の部分（以下、排紙側部分という）とが、当該外装ケースの外側で重なる記録装置が知られている（例えば、特許文献１参照）。この種の記録装置では、一般に、給紙口及び排紙口とがともにケースの背面側に設けられており、記録装置の背面側に記録後の連続紙をスタックすることにより、記録装置周りのスペースの有効活用を図っている。
【０００３】
この構成では、連続紙の各部分が、当該外装ケースの外側で重なるため、排紙側部分が給紙側部分に密着して、給紙口に一緒に給紙され、紙ジャムの原因となるため、従来、外装ケースの側面に引出自在のトレイを配置し、このトレイを連続紙の各部分の間に引き出して、各部分を離間させる技術が提案されている。
【特許文献１】特開平１１−３４４１８号公報
【発明の開示】
【発明が解決しようとする課題】
【０００４】
しかし、この場合、引出自在のトレイが別途必要になり、構造が複雑になると共に、部品点数が増すといった問題があった。
本発明は、上述した事情に鑑みてなされたものであり、新たな部品を増やすことなく、外装ケースの外側で連続紙の排紙側部分と給紙側部分とが上下に重なることを防止し、紙ジャムの発生を抑えた記録装置を提供することを目的とする。
【課題を解決するための手段】
【０００５】
上記課題を解決するため、外装ケースの給紙口に入る前の連続紙の部分と、外装ケースの排紙口から出た後の連続紙の部分とが、外装ケースの外側で上下に重なる記録装置において、外装ケースの給紙口に防音用のカバー部材を設け、このカバー部材を開いた状態で、外装ケースの外側で上下に重なる連続紙の各部分の間に、当該カバー部材を延在可能としたことを特徴とする。この構成によれば、カバー部材を開くことにより、連続紙の排紙側部分を給紙側部分から離間させることができるため、新たな部品を増やすことなく、外装ケースの外側で各連続紙が上下に重なることを防止できる。従って、各連続紙が外装ケースの外側で重なり、密着したまま給紙口から供給されて、当該外装ケースの内部で紙ジャムが発生することを防止することができる。
【０００６】
この場合において、給紙口及び排紙口が、外装ケースの同一側面に形成されている構成としても良い。この構成によれば、連続紙の給紙側部分と排紙側部分とが、外装ケースの同一側面側に位置し、各連続紙が上下に重なりやすい場合であっても、カバー部材を開くことにより、連続紙の排紙側部分を給紙側部分から離間させることができる。このため、新たな部品を増やすことなく、外装ケースの外側で各連続紙が上下に重なることを防止でき、従って、各連続紙が外装ケースの外側で重なり、密着したまま給紙口から供給されて、当該外装ケースの内部で紙ジャムが発生することを防止することができる。
【０００７】
また、この場合において、外装ケースの同一側面上において、給紙口が排紙口の下方に形成されている構成としても良い。この構成によれば、連続紙の排紙側部分が重力によって下方に排紙され、この排紙側部分と当該連続紙の給紙側部分とが上下に重なりやすい状態にある場合であっても、カバー部材を開くことにより、連続紙の排紙側部分を給紙側部分から離間させることができる。このため、新たな部品を増やすことなく、外装ケースの外側で各連続紙が上下に重なることを防止でき、従って、各連続紙が外装ケースの外側で重なり、密着したまま給紙口から供給されて、当該外装ケースの内部で紙ジャムが発生することを防止することができる。
【０００８】
また、カバー部材は、トラクタに連続紙をセットする際に全開位置まで開かれ、その半開位置において、連続紙の各部分の間に延在する構成としても良い。この構成によれば、トラクタに連続紙をセットする場合には、カバー部材を全開位置まで開くことにより、当該連続紙のセットを容易に行なうことができる。また、このカバー部材を半開位置まで開くことにより、連続紙の排紙側部分を給紙側部分から離間させることができるため、外装ケースの外側で各連続紙が上下に重なることを防止できる。更に、この場合、カバー部材は半開位置までしか開かれないため、給紙口を通じて外装ケースの外部に漏れる音は、当該カバー部材を全開とする場合に比べて小さくすることができる。
【０００９】
また、カバー部材は、その裏面に吸音材を備える構成としても良い。この構成によれば、カバー部材を閉じた状態において、給紙口から外装ケースの外部に漏れる音を低減化することができるとともに、連続紙の排紙側部分と給紙側部分とを離間させるために、当該カバー部材を半開に開いた場合にも、給紙口から外装ケースの外部に漏れる音を吸収することにより、当該給紙口から漏れる音を低減化することができる。
【発明の効果】
【００１０】
本発明によれば、カバー部材を開いた状態で、外装ケースの外側で上下に重なる連続紙の各部分の間に、当該カバー部材を延在可能としたため、新たな部品を増やすことなく、外装ケースの排紙口から出た後の連続紙の部分を外装ケースの給紙口に入る前の連続紙の部分から離間することができ、当該外装ケースの内部で紙ジャムの発生を抑えることができる。
【発明を実施するための最良の形態】
【００１１】
以下、図面を参照して本発明の実施の形態について説明する。
図１は、本発明を適用した一実施形態に係るドットインパクトプリンタ１０の外観斜視図であり、図２は、ドットインパクトプリンタ１０の背面図である。また、図３は、ドットインパクトプリンタ１０が内蔵する記録機構部２０の構成を示す斜視図であり、図４は、図３のＡ−Ａ´線における記録機構部２０の断面図である。
【００１２】
ドットインパクトプリンタ１０は、複数の記録ワイヤを打ち出す記録ヘッド３０により、記録媒体の記録面に対して、インクリボンを介して記録ワイヤを打ち出すことによって文字を含む画像を記録するものである。なお、本実施形態では、上記記録媒体として連続紙を用いた例について説明する。
【００１３】
図１に示すように、ドットインパクトプリンタ１０は、上部ケース１１及び下部ケース１２からなる略箱形の外装（外装ケース）を有し、この外装に記録機構部２０（図３）を内蔵する。
上部ケース１１の上面前部には上面カバー１３が配設され、リボンカートリッジを記録機構部２０に装着する際等に上方に開かれる。上部ケース１１の前面下部には、記録機構部２０に連続紙を供給するためのフロント給紙口１１１が開口する。フロント給紙口１１１の上には、前方に開く前面カバー１５が配設され、前面カバー１５を開けて記録機構部２０に連続紙をセットできるようになっている。
【００１４】
また、図１及び図２に示すように、上部ケース１１には、上部ケース１１の上面後部から背面にかけて連続する上背面カバー１４が配設される。上背面カバー１４は、記録機構部２０のメンテナンス時等に、上部ケース１１の後方に向けて開放される。上背面カバー１４の背面には、記録後の連続紙が吐き出される排紙口１１３が開口する。
さらに、上部ケース１１の背面において、上背面カバー１４の下には、記録機構部２０に連続紙を供給するためのリア給紙口１１２が開口するとともに、このリア給紙口１１２に防音用の給紙口カバー（カバー部材）１７が開閉自在に設けられている。このリア給紙口１１２は、給紙口カバー１７を閉じると、連続紙が供給されるのに十分な間隙Ｌだけ開口するように構成され、リア給紙口１１２からの騒音の漏れを低減化するようになっている。また、給紙口カバー１７を全開に開くと、リア給紙口１１２が大きく開口して記録機構部２０に連続紙を容易にセットできるようになっている。なお、本構成では、排紙口１１３及びリア給紙口１１２は、上部ケース１１の同一側面、すなわち背面に形成され、このリア給紙口１１２は、排紙口１１３の下方に形成されている。
【００１５】
さらに、図２に示すように、下部ケース１２の背面下部にはＩ／Ｆカバー１６が配設される。Ｉ／Ｆカバー１６の内側には、ドットインパクトプリンタ１０をコンピュータ等の各種機器に接続するためのコネクタ（図示略）が配設されており、Ｉ／Ｆカバー１６を開けて、上記コネクタにケーブルを接続する等の作業を行えるようになっている。
【００１６】
また、図１に示すように、上部ケース１１の前面上部には操作パネル１２１が配設される。この操作パネル１２１は、ドットインパクトプリンタ１０の動作に係る各種設定を行うためのスイッチ類、動作状態を報知するインジケータ及び液晶ディスプレイパネル等を備える。下部ケース１２の前面の隅には、ドットインパクトプリンタ１０の電源をＯＮ／ＯＦＦするスイッチ１２２が配される。また、図２に示すように、下部ケース１２の背面には、ドットインパクトプリンタ１０に電源を供給するための電源コネクタ１２３が配設される。
【００１７】
次に、記録機構部２０の構成について説明する。図３及び図４に示すように、記録機構部２０は、本体フレームとしての右サイドフレーム２１、左サイドフレーム２２、フロントフレーム２３及びベースフレーム２４を備える。この本体フレームに、記録ヘッド３０と、記録ヘッド３０を載置するキャリッジ２８と、フロント側から記録ヘッド３０に対して連続紙を供給するフロント給紙機構２６と、リア側から記録ヘッド３０に対して連続紙を供給するリア給紙機構２７と、フロント給紙機構２６及びリア給紙機構２７により供給された連続紙を記録ヘッド３０に向けて搬送する搬送機構３４と、記録ヘッド３０による記録済みの連続紙を排出する排紙機構３５と、リボンカートリッジ（図示略）を駆動するリボン駆動ユニット３７とが配設される。
【００１８】
右サイドフレーム２１及び左サイドフレーム２２は、記録機構部２０の両端部において互いに対向するよう立設され、この右サイドフレーム２１と左サイドフレーム２２との間に、フロントフレーム２３及びベースフレーム２４が架け渡される。フロントフレーム２３は記録機構部２０のフロント側に位置し、ベースフレーム２４は記録機構部２０の下部のリア側に位置する。
右サイドフレーム２１及び左サイドフレーム２２のフロント下部には、それぞれローラ２５が配設され、これら２個のローラ２５を介して、記録機構部２０は下部ケース１２により支持される。また、ローラ２５は回転自在に構成され、ローラ２５を支点として記録機構部２０を斜め上方にチルトさせることで、記録機構部２０の下方に配設される制御基盤（図示略）のメンテナンス等を行える。
【００１９】
フロント給紙機構２６は、記録機構部２０の前面下部に配設されたフロント給紙台２６１と、右サイドフレーム２１と左サイドフレーム２２との間に平行に架け渡されたトラクタ支持軸２６３及びトラクタ駆動軸２６４と、左右一対のフロントトラクタ２６２と、各フロントトラクタ２６２に一体に取り付けられたフロントトラクタカバー２６６とを備える。
【００２０】
フロント給紙台２６１は、記録機構部２０の前面のほぼ下端部から斜め上に延びる面を有し、この面により、フロント給紙口１１１（図１）から挿入された連続紙を下方から支持する。フロント給紙台２６１の上方には、トラクタ支持軸２６３及びトラクタ駆動軸２６４が配設され、これらトラクタ支持軸２６３及びトラクタ駆動軸２６４に、左右一対のフロントトラクタ２６２が挿通される。フロントトラクタ２６２は各々平面部を有し、この平面部がフロント給紙台２６１の面に連なるよう配設される。また、フロントトラクタ２６２は、複数のピン２６５を有するトラクタベルト（図示略）を備える。このトラクタベルトはトラクタ支持軸２６３とトラクタ駆動軸２６４とに架けられる。トラクタ支持軸２６３は回転自在に配設される一方、トラクタ駆動軸２６４は搬送モータ（図示略）によって駆動されて回転する。そして、上記トラクタベルトは、トラクタ駆動軸２６４の回転に伴って回転し、ピン２６５を下方から上方へ移動させる。ピン２６５は、フロントトラクタ２６２の平面部から露出しており、連続紙の幅方向両端部に穿設されたスプロケットホールに係合する。そして、上記トラクタベルトの回転によりピン２６５が移動すると、連続紙が、上方すなわち記録ヘッド３０側へ搬送される。
【００２１】
また、フロントトラクタ２６２には、ピン２６５の上方から被さるフロントトラクタカバー２６６が配設される。フロントトラクタ２６２に連続紙を載せてフロントトラクタカバー２６６を被せることにより、連続紙のスプロケットホールがピン２６５に係合した状態が保持される。
【００２２】
リア給紙機構２７は、右サイドフレーム２１と左サイドフレーム２２との間に平行に架け渡されたトラクタ支持軸２７２及びトラクタ駆動軸２７３と、左右一対のリアトラクタ２７１と、各リアトラクタ２７１に一体に取り付けられたリアトラクタカバー２７５と、リアトラクタ２７１の奥に配設されたスプロケットホイール２７６とを備える。
【００２３】
記録機構部２０のリア側においては、ベースフレーム２４の一部が、リア給紙口１１２（図２）に対応する位置で平面に形成されており、この平面により、リア給紙口１１２から挿入された連続紙が下方から支持される。そして、このベースフレーム２４に並べてトラクタ支持軸２７２及びトラクタ駆動軸２７３が配設され、これらトラクタ支持軸２７２及びトラクタ駆動軸２７３に、２個のリアトラクタ２７１が挿通される。リアトラクタ２７１は平面部を有し、この平面部が、ベースフレーム２４がなす平面に連なるように配設される。
【００２４】
また、リアトラクタ２７１は、複数のピン２７４を有するトラクタベルト（図示略）を備え、このトラクタベルトはトラクタ支持軸２７２とトラクタ駆動軸２７３とに架けられており、搬送モータ（図示略）によってトラクタ駆動軸２７３が駆動されることにより回転する。ピン２７４はリアトラクタ２７１の平面部に露出しており、連続紙に穿設されたスプロケットホールに係合する。そして、上記トラクタベルトの回転によりピン２７４が移動し、連続紙がフロント側へ搬送される。
【００２５】
リアトラクタ２７１のフロント側には、スプロケットホイール２７６が配設される。スプロケットホイール２７６は、右サイドフレーム２１と左サイドフレーム２２との間に架け渡された軸に挿通され、この軸が搬送モータ（図示略）により駆動されることで回転する。スプロケットホイール２７６の円周面には複数のピン２７７が並んで突出しており、これらピン２７７は、リアトラクタ２７１から搬送された連続紙のスプロケットホールに係合する。そして、スプロケットホイール２７６が回転することにより、連続紙の上方からピン２７７が連続紙のスプロケットホールに係合して、連続紙を巻き上げる。これにより、連続紙が記録ヘッド３０に向けて搬送される。
【００２６】
また、リアトラクタ２７１には、ピン２７７の上方から被さるリアトラクタカバー２７５が配設される。リアトラクタ２７１に連続紙を載せてリアトラクタカバー２７５を被せることにより、連続紙のスプロケットホールがピン２７４に係合した状態が保持される。
【００２７】
搬送機構３４は、連続紙の裏面に当接する第１搬送ローラ３４１と、連続紙を介して第１搬送ローラ３４１に対向する第２搬送ローラ３４２と、第２搬送ローラ３４２を軸支する第２搬送ローラ軸３４３と、記録ヘッド３０に対向して配設されたプラテン３１とを備える。
【００２８】
第１搬送ローラ３４１はスプロケットホイール２７６の上方に配設され、連続紙の裏面に当接する。この第１搬送ローラ３４１に対して、連続紙を挟んで対向する位置に、第２搬送ローラ軸３４３が配設される。この第２搬送ローラ軸３４３は、右サイドフレーム２１と左サイドフレーム２２との間に回転自在に架け渡され、複数の第２搬送ローラ３４２が挿通される。第２搬送ローラ軸３４３は、ローラ開閉モータ（図示略）の動作によって所定の範囲内で移動可能であり、ローラ開閉モータが開動作を行うと、第２搬送ローラ３４２は第１搬送ローラ３４１から離隔され、ローラ開閉モータが閉動作を行うと、第２搬送ローラ３４２は第１搬送ローラ３４１に向けて付勢される。
【００２９】
そして、上記ローラ開閉モータが閉動作を行うことで、連続紙が第１搬送ローラ３４１と第２搬送ローラ３４２との間に挟まれて支持される。第１搬送ローラ３４１は搬送モータ（図示略）及び駆動輪列部３３により駆動され、第１搬送ローラ３４１が回転することにより、第１搬送ローラ３４１と第２搬送ローラ３４２とに挟まれた連続紙が、上方すなわち記録ヘッド３０側へ搬送される。
【００３０】
キャリッジ２８は、右サイドフレーム２１と左サイドフレーム２２との間に架け渡されたキャリッジ軸２９に挿通される。キャリッジ２８には、キャリッジ駆動モータ３２とキャリッジ駆動プーリ（図示略）とに架けられたベルトが装着され、キャリッジ駆動モータ３２とキャリッジ駆動プーリの動作によってベルトが駆動されると、キャリッジ軸２９に沿って移動する。
【００３１】
キャリッジ２８には、記録ヘッド３０が搭載される。記録ヘッド３０は、搬送機構３４の上方において連続紙の記録面に対向し、連続紙の記録面と記録ヘッド３０との間には、リボンカートリッジ（図示略）のインクリボンが配設される。そして、記録ヘッド３０から連続紙の記録面に向けて記録ワイヤ（図示略）を打ち出すことにより、連続紙の記録面にインクが付着し、文字を含む画像が記録される。
【００３２】
記録ヘッド３０に対向する位置においては、連続紙の裏面側に、プラテン３１が配設される。このプラテン３１は、連続紙に接する部分が平面状に形成された平プラテンであり、この平面において、記録ヘッド３０から突出する記録ワイヤの突出力を支持する。プラテン３１は、連続紙に対して垂直な方向に移動可能に構成され、ばね（図示略）によって連続紙に向けて付勢される。また、キャリッジ２８はギャップ調整モータ（図示略）を搭載する。このギャップ調整モータの動作により、記録ヘッド３０と連続紙及びプラテン３１との間のギャップが適宜調整される。
【００３３】
排紙機構３５は、記録ヘッド３０により記録された連続紙に裏側から当接する第１排紙ローラ３５１と、右サイドフレーム２１から左サイドフレーム２２にかけて配設された可動フレーム３５３と、可動フレーム３５３を支持する可動軸３５４及びユニット支持軸３５５と、可動フレーム３５３と左サイドフレーム２２とに跨って組み付けられたばね３５６と、可動フレーム３５３に固定された複数の排紙ローラユニット３５７と、排紙ローラユニット３５７に組み付けられた第２排紙ローラ３５８とを備える。
【００３４】
第１排紙ローラ３５１は、記録ヘッド３０の上方において連続紙の裏面に当接し、搬送モータ（図示略）及び駆動輪列部３３により駆動されて回転する。この第１排紙ローラ３５１に対して、連続紙を介して対向する位置に、可動軸３５４及びユニット支持軸３５５が配設される。可動軸３５４及びユニット支持軸３５５は、右サイドフレーム２１と左サイドフレーム２２との間に架け渡され、ユニット支持軸３５５は右サイドフレーム２１及び左サイドフレーム２２に固定される。一方、可動軸３５４は、ユニット支持軸３５５を中心として円を描くように移動可能である。また、可動フレーム３５３は、可動軸３５４及びユニット支持軸３５５に固定され、可動軸３５４とともに移動可能である。
可動フレーム３５３には、可動軸３５４及びユニット支持軸３５５の軸方向に沿って並ぶ複数の排紙ローラユニット３５７が取り付けられる。排紙ローラユニット３５７には、それぞれ、ユニット支持軸３５５から離隔した位置に第２排紙ローラ３５８が組み付けられている。
【００３５】
可動フレーム３５３は、左サイドフレーム２２との間に架け渡されたばね３５６によって、ユニット支持軸３５５を中心として第１排紙ローラ３５１に近づく方向に付勢される。このため、排紙ローラユニット３５７が有する第２排紙ローラ３５８は、第１排紙ローラ３５１に押しつけられる方向に付勢され、この付勢力により、連続紙が第１排紙ローラ３５１と第２排紙ローラ３５８との間に挟まれる。
【００３６】
さらに、可動軸３５４は、ローラ開閉モータ（図示略）の動作によって、ばね３５６の付勢力に抗して移動される。すなわち、ローラ開閉モータが開動作を行うと、ローラ開閉モータの駆動力によって、可動軸３５４がばね３５６の付勢力に抗して移動し、第２排紙ローラ３５８が第１排紙ローラ３５１から離隔する。また、ローラ開閉モータが駆動力を解放する（閉動作）と、ばね３５６の付勢力によって、第２排紙ローラ３５８が第１排紙ローラ３５１に押しつけられる。
【００３７】
次に、リア給紙口１１２に配置された給紙口カバー１７について説明する。
給紙口カバー１７は、図２に示すように、リア給紙口１１２を覆うカバー本体１７１と、このカバー本体１７１の上縁両端部から延出する支持部１７２とを備え、この支持部１７２が、図５に示すように、上背面カバー１４の裏面に形成された連結部１４１に連結ピン７１を介して連結されている。また、カバー本体１７１の下端には、給紙口カバー１７を閉じた場合に、リア給紙口１１２に供給される連続紙を案内する用紙案内部１７１Ａが設けられ、カバー本体１７１の裏面には、例えば記録ヘッド３０の動作音などを吸収して、外部への漏れを低減化する吸音材７２が配置されている。この吸音材７２は、例えばウレタンなどの多孔質材料から構成されるものであり、この多孔質材料の内部に音が入り込み拡散すると、音のエネルギーが振動を伴った熱エネルギーに変換されるため、反射音が小さくなり吸音が実行される。
【００３８】
連結部１４１は、上背面カバー１４の側板１４Ａと、この側板１４Ａに平行に設けられた固定板１４Ｂとを備えて構成され、この固定板１４Ｂには、給紙口カバー１７を予め設定された所定の位置で固定するための溝が形成されている。本構成では、給紙口カバー１７を閉じた位置で固定する第１の溝８１と、連続紙の排紙側部分１００Ａを給紙側部分１００Ｂから離間させる際に、給紙口カバー１７を半開に開いた位置で固定する第２の溝８２と、リアトラクタ２７１に連続紙をセットする際に、給紙口カバー１７を全開に開いた位置で固定する第３の溝８３とが形成されている。一方、支持部１７２には、上記第１〜第３の溝８１〜８３に係合して、給紙口カバー１７を固定する凸部７３が設けられている。
【００３９】
この凸部７３は、固定板１４Ｂに向けて付勢されており、例えば凸部７３が第１の溝８１に係合する場合には、図６に示すように、給紙口カバー１７は閉じた位置で固定される。ここで、連結ピン７１を中心に給紙口カバー１７を開くと、凸部７３と第１の溝８１との係合が解除され、この凸部７３は固定板１４Ａ上を第２の溝８２に向かって移動する。次に、凸部７３が第２の溝８２に係合する場合には、図７に示すように、給紙口カバー１７は半開に開いた状態で固定される。そして、連結ピン７１を中心に給紙口カバー１７をさらに開くと、凸部７３と第２の溝８２との係合が解除され、この凸部７３は固定板１４Ａ上を第３の溝８３に向かって移動する。続いて、凸部７３が第３の溝８３に係合する場合には、図８に示すように、給紙口カバー１７は全開に開いた状態で固定される。
本構成では、給紙口カバー１７は、カバー本体１７１に連続紙の排紙側部分１００Ａ２が当接して、当該排紙側部分１００Ａの荷重がかかった場合であっても、その程度の荷重では、第１〜第３の溝８１〜８３と凸部７３との係合が解除されないように構成されている。
【００４０】
次に、図５を参照して、実施形態の動作を説明する。
給紙口カバー１７を破線の位置Ｊに閉じた状態で、連続紙の供給が開始された場合、この排紙口１１３から排出された連続紙の排紙側部分１００Ａ１が、図５に破線で示すように、リア給紙口１１２から供給される連続紙の給紙側部分１００Ｂと例えば図中Ａ点で重なる。この場合、排紙口１１３から排出された連続紙の排紙側部分１００Ａ１と、リア給紙口１１２から供給される連続紙の給紙側部分１００Ｂとが帯電により密着すると、連続紙の排紙側部分１００Ａ３は、図５に一点鎖線で示すように、連続紙の給紙側部分１００Ｂとともにリア給紙口１１２から例えば図中Ｂ点に供給され、紙ジャムが発生するおそれがある。
【００４１】
この実施形態では、この場合、給紙口カバー１７を所定の実線の位置Ｉ（例えば、半開位置）に開いて、連続紙の排紙側部分１００Ａ２と給紙側部分１００Ｂとの間に、当該給紙口カバー１７を延在させる。具体的には、図５に示すように、給紙口カバー１７を半開に開いた状態で固定し、この給紙口カバー１７の下端部１７Ａによって、排紙口１１３から排出される連続紙の排紙経路をリア給紙口１１２から供給される連続紙の給紙経路から離間させることにより、当該連続紙の排紙側部分１００Ａ２及び給紙側部分１００Ｂの重なりを防止する。また、給紙口カバー１７を所定の一点鎖線の位置Ｈ（例えば、全開位置）に開くと、リア給紙口１１２が大きく開口するため、リアトラクタ２７１（図４）に連続紙を容易にセットすることができる。
【００４２】
本実施形態では、給紙口カバー１７を半開に開いた状態で、連続紙の排紙側部分１００Ａ２と給紙側部分１００Ｂとの間に、当該給紙口カバー１７を延在させているため、この給紙口カバー１７の下端１７Ａによって連続紙の排紙側部分１００Ａを給紙側部分１００Ｂから離間させることができる。従って、別途新しい部材を設けることなく、連続紙の排紙側部分１００Ａ２が給紙側部分１００Ｂに重なり、密着することを防止できるため、各連続紙が密着した状態でリア給紙口１１２から供給されて紙ジャムが発生することを防止することができ、プリンタの品質の向上を図ることができる。
【００４３】
また、本実施形態では、リア給紙口１１２は、上部ケース１１の背面側において、排紙口１１３の下方に形成されている。このように連続紙の排紙側部分１００Ａ２が重力によって下方に排紙され、この排紙側部分１００Ａ２と給紙側部分１００Ｂとが上下に重なりやすい状態にある場合であっても、給紙口カバー１７を半開に開いた状態で、連続紙の排紙側部分１００Ａ２を給紙側部分１００Ｂから離間させることができる。従って、別途新しい部材を設けることなく、連続紙の排紙側部分１００Ａ２が給紙側部分１００Ｂに重なり、密着することを防止できるため、各連続紙が密着した状態でリア給紙口１１２から供給されて紙ジャムが発生することを防止することができ、プリンタの品質の向上を図ることができる。
【００４４】
また、本実施形態では、リアトラクタ２７１に連続紙をセットする場合には、給紙口カバー１７を全開位置まで開くことにより、当該連続紙のセットを容易に行なうことができる。さらに、連続紙の排紙側部分１００Ａ２を給紙側部分１００Ｂから離間させる際には、給紙口カバー１７を半開位置までしか開かないため、リア給紙口１１２を通じてケースの外部に漏れる音は、当該給紙口カバー１７を全開とする場合に比べて小さくすることができる。
【００４５】
また、本実施形態では、給紙口カバー１７の裏面に吸音材７３を配置しているため、リア給紙口１１２から漏れる音を吸収して低減化することができる。本構成では、連続紙の排紙側部分１００Ａと給紙側部分１００Ｂとを離間させるために、給紙口カバー１７を半開に開くことにより、リア給紙口１１２は従来よりも大きく開かれることになるが、この場合であっても、給紙口カバー１７の裏面に吸音材７３を配置することにより、リア給紙口１１２から漏れる音の低減化を図ることができる。
【００４６】
また、本実施形態では、給紙口カバー１７に形成された凸部７３を、上背面カバー１４の連結部１４１に形成された第１〜第３の溝８１〜８３に係合させることによって、給紙口カバー１７をそれぞれ所定の位置に固定する構成としているため、この給紙口カバー１７を半開の位置に固定する場合でも簡単にセットすることができる。
【００４７】
なお、上述した実施の形態は、本発明の一実施態様を示すものであり、本発明の範囲内で任意に変形及び応用可能であることは勿論である。例えば、上述した実施の形態では、給紙口カバー１７を所定の位置に開いて、当該給紙口カバー１７を固定する構成としているが、これに限らず、給紙口カバー１７を任意の位置に開いた状態で保持可能とする構成としても良い。
【図面の簡単な説明】
【００４８】
【図１】本実施形態に係るドットインパクトプリンタの外観斜視図である。
【図２】ドットインパクトプリンタの背面図である。
【図３】ドットインパクトプリンタが内蔵する記録機構部の構成を示す斜視図である。
【図４】図３のＡ−Ａ´線における記録機構部の断面図である。
【図５】本発明の要部を示した断面図である。
【図６】給紙口カバーを閉じた状態を示す斜視図である。
【図７】給紙口カバーを半開に開いた状態を示す斜視図である。
【図８】給紙口カバーを全開に開いた状態を示す斜視図である。
【符号の説明】
【００４９】
１０…ドットインパクトプリンタ（記録装置）、１４…上背面カバー、１４Ａ…側板、１４Ｂ…固定板、１７…給紙口カバー（離間部材、カバー）、３０…記録ヘッド、７２…吸音材、７３…凸部（固定部材）、８１…第１の溝（固定部材）、８２…第２の溝（固定部材）、８３…第３の溝（固定部材）、１００Ａ２…排紙側部分（排紙口から出た後の連続紙の部分）、１００Ｂ…（給紙口に入る前の連続紙の部分）、１１２…リア給紙口（給紙口）、１１３…排紙口１７２…支持部、２７１…リアトラクタ（トラクタ）。
【図１】
2006231655.tif 000003
【図２】
2006231655.tif 000004
【図３】
2006231655.tif 000005
【図４】
2006231655.tif 000006
【図５】
2006231655.tif 000007
【図６】
2006231655.tif 000008
【図７】
2006231655.tif 000009
【図８】
2006231655.tif 000010